(57)【要約】【課題】よりコンパクトなレンズユニットを提供する。【解決手段】レンズ鏡筒２８は固定筒３０、後筒３２、中間筒３４、前筒３６等から構成される。レンズ鏡筒２８にはフレキシブルプリント基板５０が組み付けられる。フレキシブルプリント基板５０上の第１のエリア５０ａにはＣＣＤイメージセンサ５２が実装され、第２のエリア５０ｂには、駆動制御ＩＣチップ５４、出力端子５１等が設けられている。固定筒３０の外周３０ｂに形成された平面部３０ａには光軸方向に沿って突出した接続端子４１が設けられている。フレキシブルプリント基板５０の第１のエリア５０ａは固定筒３０の後端３０ａに固定される。折り曲げラインに沿ってフレキシブルプリント基板５０は折り曲げられて第２のエリア５０ｂは固定筒３０の外周３０ｂと対面する。接続端子４１に出力端子５１がハンダ付けされ、駆動制御ＩＣチップ５４からの電気信号がレンズ鏡筒２８に入力される。【選択図】        図４
2006146021.tif 000002
【特許請求の範囲】
【請求項１】
撮影レンズ及び、電気信号の入力に応じて駆動されるアクチュエータが鏡筒本体に組み込まれたレンズユニットにおいて、
前記アクチュエータに接続された接続端子を鏡筒本体の外周面に露呈させ、一端側にイメージセンサが実装されたフレキシブルプリント基板の前記一端側を前記鏡筒本体の後端面を覆うように固定してイメージセンサを光軸上に位置決めするとともに、鏡筒本体の後端縁で前方へ向けて屈曲させたフレキシブルプリント基板の他端側に設けられた前記電気信号の出力端子を前記接続端子に固定してフレキシブルプリント基板を鏡筒本体と一体化したことを特徴とするレンズユニット。
【請求項２】
前記出力端子を前記接続端子にハンダ付けすることを特徴とする請求項１記載のレンズユニット。
【請求項３】
前記出力端子と前記接続端子とを熱溶着によって連結させたことを特徴とする請求項１記載のレンズユニット。
【請求項４】
前記アクチュエータの駆動を制御する駆動制御ＩＣチップを前記フレキシブルプリント基板の他端側に実装したことを特徴とする請求項１ないし３にいずれか１つ記載のレンズユニット。
【請求項５】
前記鏡筒本体は四角柱形状であって前記フレキシブルプリント基板の他端側と向かい合った側面に複数の前記接続端子が側面を一周する方向に設けられ、前記接続端子と同数の前記出力端子が前記フレキシブルプリント基板の他端側で前記接続端子の配列方向と略平行に配列されていることを特徴とする請求項１ないし４いずれか１つ記載のレンズユニット。
【請求項６】
前記接続端子は鏡筒本体の外周面から半径方向に突出して設けられ、前記フレキシブルプリント基板の他端側の出力端子は前記駆動制御ＩＣチップに設けられた出力端子であることを特徴とする請求項４記載のレンズユニット。
【請求項７】
前記接続端子は、鏡筒本体に形成された溝の内部に露呈するとともに突出方向に付勢力を有し、前記フレキシブルプリント基板の他端側の先端部を前記溝の内部に挿入することにより前記接続端子と前記出力端子とが電気的に接続され、前記フレキシブルプリント基板の他端側が前記接続端子と前記溝内の内壁との間に挟持されることを特徴とする請求項１記載のレンズユニット。
【請求項８】
撮影レンズ及び、電気信号の入力に応答して駆動されるアクチュエータが鏡筒本体に組み込まれたレンズユニットにおいて、
前記アクチュエータに接続されたピン状の接続端子を鏡筒本体の外周面から突出させるとともに鏡筒本体の後端側に向けて折り曲げ、イメージセンサ及び前記アクチュエータ駆動用のＩＣチップを実装したフレキシブルプリント基板を前記鏡筒本体の後端面を覆うように固定して前記イメージセンサを光軸上に位置決めするとともに前記ＩＣチップを鏡筒本体の側方に露呈させ、このＩＣチップに設けられた出力端子に前記接続端子を接続させてフレキシブルプリント基板を鏡筒本体と一体化したことを特徴とするレンズユニット。
【発明の詳細な説明】
【技術分野】
【０００１】
本発明はプリント基板とレンズ鏡筒とを有するレンズユニットに関し、さらに詳しくはフレキシブルプリント基板とレンズ鏡筒との接続構造に関するものである。
【背景技術】
【０００２】
現在、デジタルカメラやカメラ付き携帯電話等の撮影装置が普及しつつある。撮影装置ではレンズからの光束がイメージセンサ上に結像され、イメージセンサはこれに応じて画像信号を出力し、イメージセンサから出力された画像信号をデジタル処理して被写体の画像データを形成している。撮影装置の内部には、例えば、信号処理回路等の回路が設けられたリジッド回路基板が配置されており、これにより撮影装置はコンパクトにまとめられていた。
【０００３】
近年では、撮影装置の小型化、低コスト化、高性能化をさらに進めるために様々な工夫が試みられている。例えば、リジッド回路基板をレンズ鏡筒に組み付けてレンズユニットを構成するとともに、このレンズユニットではリジッド回路基板上に受光エリアが基板面と平行になるようにイメージセンサが設けられ、さらに同一基板上に信号処理回路等の各種回路が配置されることで動作速度の改善やコストの低減を行っていた。さらに、一定の配置場所の確保が必要なリジッド回路基板に替えて、柔軟なフレキシブルプリント基板を用いることで、リジッド回路基板では配置が困難な場所に各種回路を配置させることができ、これによって撮影装置をよりコンパクトにすることができた。
【特許文献１】特開平１１−２１８６６９号公報
【発明の開示】
【発明が解決しようとする課題】
【０００４】
ところで、レンズ鏡筒にはレンズや電気信号の入力に応じて駆動されるアクチュエータが設けられており、アクチュエータに電気信号を入力するために、例えば、特許文献１ではレンズ鏡筒の一端にコネクタが設けられ、カメラ本体にレンズ鏡筒のコネクタと接続されるコネクタが設けられている。これらのコネクタはレンズ鏡筒がカメラ本体に組み付けられる際に互いに接続され、これによって駆動制御回路からの電気信号をレンズ鏡筒に備えられた駆動手段に入力することが可能となっていた。
【０００５】
しかしながら、コネクタはどんなに形状を工夫してもある程度の設置スペースを確保する必要があり、このためレンズ鏡筒とカメラ本体とにそれぞれ設けられたコネクタの設置スペースのために撮影装置の小型化には限界があった。例えば、利便性を高めるためにデジタルカメラの背面により大きな表示装置を設け、レンズの光学性能を高めながら小型化を達成しようとした場合、コネクタを用いてしまうと小型化の達成が困難なことがあった。
【０００６】
本発明は上記の事情に鑑みてなされたものであり、その目的は、フレキシブルプリント基板とフレキシブルプリント基板から電気信号が入力されるレンズ鏡筒との接続構造を工夫して、よりコンパクトなレンズユニットを提供することにある。
【課題を解決するための手段】
【０００７】
上記の目的を達成するために、本発明のレンズユニットでは、撮影レンズ及び、電気信号の入力に応じて駆動されるアクチュエータが鏡筒本体に組み込まれたレンズユニットであって、アクチュエータに接続された接続端子を鏡筒本体の外周面に露呈させ、一端側にイメージセンサが実装されたフレキシブルプリント基板の一端側を鏡筒本体の後端面を覆うように固定してイメージセンサを光軸上に位置決めする。これとともに鏡筒本体の後端縁で前方へ向けて屈曲させたフレキシブルプリント基板の他端側に設けられた電気信号の出力端子を前記接続端子に固定してフレキシブルプリント基板を鏡筒本体と一体化したことを特徴とする。
【０００８】
また、出力端子を接続端子にハンダ付けすることを特徴とする。
【０００９】
また、出力端子と接続端子とを熱溶着によって連結させたことを特徴とする。接続端子に予めハンダボールを設けておき、熱を加えながらそれぞれの端子を圧着させることで、接続端子に出力端子を連結することができる。
【００１０】
また、アクチュエータの駆動を制御する駆動制御ＩＣチップをフレキシブルプリント基板の他端側に実装したことを特徴とする。
【００１１】
また、鏡筒本体は四角柱形状であってフレキシブルプリント基板の他端側と向かい合った側面に複数の接続端子が側面を一周する方向に設けられ、接続端子と同数の出力端子がフレキシブルプリント基板の他端側で接続端子の配列方向と略平行に配列されていることを特徴とする。
【００１２】
また、接続端子は鏡筒本体の外周面から半径方向に突出して設けられ、フレキシブルプリント基板の他端側の出力端子は駆動制御ＩＣチップに設けられた出力端子であることを特徴とする。
【００１３】
また、接続端子は、鏡筒本体に形成された溝の内部に露呈するとともに突出方向に付勢力を有し、フレキシブルプリント基板の他端側の先端部を溝の内部に挿入することにより接続端子と出力端子とが電気的に接続され、フレキシブルプリント基板の他端側が接続端子と溝内の内壁との間に挟持されることを特徴とする。
【００１４】
また、撮影レンズ及び、電気信号の入力に応答して駆動されるアクチュエータが鏡筒本体に組み込まれたレンズユニットであり、アクチュエータに接続されたピン状の接続端子を鏡筒本体の外周面から突出させるとともに鏡筒本体の後端側に向けて折り曲げ、イメージセンサ及び前記アクチュエータ駆動用のＩＣチップを実装したフレキシブルプリント基板を鏡筒本体の後端面を覆うように固定してイメージセンサを光軸上に位置決めするとともにＩＣチップを鏡筒本体の側方に露呈させ、このＩＣチップに設けられた出力端子に接続端子を接続させてフレキシブルプリント基板を鏡筒本体と一体化したことを特徴とする。
【発明の効果】
【００１５】
本発明のレンズユニットによれば、アクチュエータに接続された接続端子を鏡筒本体の外周面に露呈させ、一端側にイメージセンサが実装されたフレキシブルプリント基板の一端側を鏡筒本体の後端面を覆うように固定してイメージセンサを光軸上に位置決めする。これとともに鏡筒本体の後端縁で前方へ向けて屈曲させたフレキシブルプリント基板の他端側に設けられた電気信号の出力端子を前記接続端子に固定してフレキシブルプリント基板を鏡筒本体と一体化したことにより、フレキシブルプリント基板がレンズ鏡筒の形状に合わせて組み付けられ、これによってよりコンパクトなレンズユニットを提供することができる。
【００１６】
また、接続端子と出力端子とがハンダ付けにより連結されていることにより、接続端子に出力端子を強固に固定することができ、確実に電気信号を出力端子から接続端子に入力させることができる。
【００１７】
また、出力端子と接続端子とを熱溶着によって連結させたことにより、接続端子に出力端子を強固に固定することができ、確実に電気信号を出力端子から接続端子に入力させることができる。
【００１８】
また、アクチュエータの駆動を制御する駆動制御ＩＣチップをフレキシブルプリント基板の他端側に実装したことにより、鏡筒本体の側面と対向する位置に駆動制御ＩＣチップを配置させることができ、レンズユニットをよりコンパクトにすることができる。
【００１９】
また、鏡筒本体は四角柱形状であってフレキシブルプリント基板の他端側と向かい合った側面に複数の接続端子が側面を一周する方向に設けられ、接続端子と同数の出力端子がフレキシブルプリント基板の他端側で接続端子の配列方向と略平行に配列されていることにより、鏡筒本体の側面とフレキシブルプリント基板の他端側との間のスペースをより小さくしてレンズユニットをさらに小型化することができる。
【００２０】
また、接続端子は鏡筒本体の外周面から半径方向に突出して設けられ、フレキシブルプリント基板の他端側の出力端子は駆動制御Ｃチップに設けられた出力端子であることにより、フレキシブルプリント基板上に余計な配線を形成せずに接続端子に出力端子を固定することができ、製造コストを低減しながら、かつよりコンパクトなレンズユニットを提供することができる。
【００２１】
また、接続端子は、鏡筒本体に形成された溝の内部に露呈するとともに突出方向に付勢力を有し、フレキシブルプリント基板の他端側の先端部を溝の内部に挿入することにより接続端子と出力端子とが電気的に接続され、フレキシブルプリント基板の他端側が接続端子と溝内の内壁との間に挟持されることにより、フレキシブルプリント基板の他端側の先端部を溝内に挿入することで接続端子に出力端子を接続させ、かつフレキシブルプリント基板を保持することができ、これによってレンズユニットの製造工程をより簡便化することができる。
【００２２】
また、アクチュエータに接続されたピン状の接続端子を鏡筒本体の外周面から突出させるとともに鏡筒本体の後端側に向けて折り曲げ、イメージセンサ及び前記アクチュエータ駆動用のＩＣチップを実装したフレキシブルプリント基板を鏡筒本体の後端面を覆うように固定してイメージセンサを光軸上に位置決めするとともにＩＣチップを鏡筒本体の側方に露呈させ、このＩＣチップに設けられた出力端子に接続端子を接続させてフレキシブルプリント基板を鏡筒本体と一体化したことにより、フレキシブルプリント基板のサイズを小さくすることができ、これによってコストを低減しながらよりコンパクトなレンズユニットを提供することができる。
【発明を実施するための最良の形態】
【００２３】
以下に本発明の第１実施形態について説明する。図１に本発明のレンズユニットが組み込まれたデジタルカメラを前方から観察した外観斜視図を示す。デジタルカメラ２には後述するレンズ鏡筒２８が組み込まれており、レンズ鏡筒２８によってレンズ群が光軸方向に移動自在に保持されている。レンズ群は電源スイッチ６を横にスライド移動させるとレンズ開口５から外部に露呈する。電源スイッチ６の上にはストロボ光を投光するストロボ発光部７が設けられ、レンズ鏡筒２８の上には被写体と対面するファインダ対物窓８が設けられている。デジタルカメラ２の上面にはシャッタボタン１０が設けられ、シャッタボタン１０を押圧することで被写体の画像データの記録動作が開始される。
【００２４】
デジタルカメラ２の背面を図２に示す。デジタルカメラ２の背面には液晶パネル１３が設けられ、液晶パネル１３の上にはファインダ接眼窓１５が設けられている。ファインダ接眼窓１５の横にはデジタルカメラのモードを、静止画像データを形成して記録メディアに記録する静止画撮影モード、記録メディアに記録された画像データを基に形成されたサムネイル画像を液晶パネル１３に表示するリプレイモード、１秒当たり数十フレームの動画を撮影する動画撮影モード等のいずれかに設定するモード切り替えスイッチ１７と、ズーム等を行う際に操作される上下操作が可能な操作レバー２０等が備えられている。操作レバー２０の下には、フォトモードボタン２２、液晶パネル１３に表示されたメニューの選択や実行を行う際に押圧される選択／実行ボタン２３、メニュー実行のキャンセル時等に押圧操作されるキャンセルボタン２４が設けられている。
【００２５】
図３にデジタルカメラ２に内蔵されたレンズユニット２５の分解斜視図を示す。レンズユニット２５はレンズ鏡筒２８とフレキシブルプリント基板５０とを有し、レンズ鏡筒２８は、固定筒３０、後筒３２、中間筒３４、前筒３６、レンズバリアユニット３８等から構成さる。固定筒３０には後筒３２、中間筒３４、前筒３６を光軸方向に移動させる動力源となるモータ（アクチュエータ）４０、モータ４０等に電力を供給するための接続端子４１を有しており、モータ４０の動力は長尺ギヤ４２を介して後筒３２に伝達される。接続端子４１は固定筒３０の外周に形成された平面部３０ｄに形成されている。
【００２６】
固定筒３２の内側には雌ヘリコイドネジが形成され、中間筒３４の外周には固定筒の内周に形成された雌ヘリコイドネジに係合する雄ヘリコイドネジが形成されている。中間筒３４の内周には雌ヘリコイドネジが形成され、前筒３６の外周には中間筒３４の内周に形成された雌ヘリコイドネジに係合する雄ヘリコイドネジが形成されている。固定筒３０の内側には後筒３２が嵌め込まれ、後筒３２の内側に中間筒３４が嵌め込まれ、中間筒３４の内側に前筒３６が嵌め込まれ、長尺ギヤ４２の回転に応じて後筒３２、中間筒３４、前筒３６が光軸方向に移動する。
【００２７】
フレキシブルプリント基板５０にはライン状の折り曲げ位置Ｆが予め設定され、フレキシブルプリント基板の一端側には第１のエリア５０ａが、他端側には第２のエリア５０ｂがそれぞれ画定される。第１のエリア５０ａにはレンズ鏡筒２８から入射される光速を受けるＣＣＤイメージセンサ５２が実装され、第２のエリア５０ｂにはレンズ鏡筒の動作を制御するための制御回路や接続端子４１に接続される出力端子５１が設けられている。
【００２８】
図４にフレキシブルプリント基板及びレンズ鏡筒２８を光軸に沿って縦に切断した断面図を示す。前筒３６の内側には物体側から順に第１群レンズＧ１、第２群レンズＧ２、第３群レンズＧ３がそれぞれ光軸方向に移動自在に保持され、第１群レンズと第２群レンズとの間には遮光絞りが設けられている。前筒３６の前端にはレンズバリアユニット３８が組み付けられ、レンズバリア３８ａは電源スイッチ６のオンに伴って退避して第１群レンズＧ１が外部に露呈する。
【００２９】
フレキシブルプリント基板５０の第１のエリア５０ａには受光エリアがフレキシブルプリント基板５０の基板面と平行になるようにＣＣＤイメージセンサ５２が設けられており、光軸がＣＣＤイメージセンサ５２の受光面と垂直に交わるように第１のエリア５０ａが固定筒３０の後端３０ａに固定される。フレキシブルプリント基板５０の第２のエリア５０ｂにはモータ４０の駆動を制御するための駆動制御ＩＣチップ５４などが実装されるとともに出力端子５１が形成されている。フレキシブルプリント基板５０がレンズ鏡筒２８に固定される際、フレキシブルプリント基板５０は固定筒３０の後端縁で折り曲げ位置Ｆに沿って折り曲げられ第２のエリア５０ｂが固定筒３０の側面と対向する。固定筒３０の外周３０ｂに設けられた接続端子４１にフレキシブルプリント基板５０の出力端子５１がハンダ付けされ、駆動制御ＩＣチップ５４から出力される電気信号をモータ４０に入力できるようになり、これによりモータ４０が駆動制御ＩＣチップ５４によって制御される。なお、ＣＣＤイメージセンサ５２の裏側に板状の補強材を設けることでＣＣＤイメージセンサ５２の位置を精密に保持することができる。また、この実施形態では第１のエリア５０ａを固定筒３０の後端３０ａに直接組み付けたが、第１のエリア５０ａを固定筒３０に組み付ける方法はこれに限らない。例えば、ＣＣＤイメージセンサの周囲にレンズ鏡筒に固定されるマウントを設け、このマウントを介して第１のエリアをレンズ鏡筒に組み付けることができる。
【００３０】
図５にデジタルカメラのブロック図を示す。デジタルカメラ２には、ＣＣＤイメージセンサ５２の出力制御を行うタイミングジェネレータ５７、ＣＣＤイメージセンサ５２から出力される画像信号をデジタル処理して画像データを形成する信号処理回路６０、信号処理回路で形成された画像データを補正する画像処理回路６２、画像データの記録時に画質や画像サイズ等を調節する圧縮伸張処理回路６４、ユーザの指定した画質モードで圧縮処理された画像データをメモリーカードに記録させるメディアコントローラ６５、液晶パネル１３上に一定時間ごとに被写体の画像が更新されるスルー画像を表示させるＬＣＤコントローラ６９等が備えられており、デジタルカメラ２全般の動作はＣＰＵ７１によって制御されている。なお、画像データの形成時や動画の再生時等ではＳＤＲＡＭ６３やＶＲＡＭ６７が利用され、これにより高速かつ円滑にデジタルカメラ２は動作する。
【００３１】
レンズ鏡筒２８にはモータ４０が組み込まれており、モータ４０はフレキシブルプリント基板５０に設けられた駆動制御ＩＣチップ５４から入力される電気信号によって駆動が制御される。例えば、オートフォーカス検出回路（以降、ＡＦ検出回路という）６８では被写体のコントラストを基に合焦状態が判定されており、ＣＰＵ７１はＡＦ検出回路からの検出信号を基に駆動制御ＩＣチップ５４に命令を送出し、駆動制御ＩＣチップ５４ではＣＰＵ７１からの命令に応じてモータ４０の動作を制御する。また、ズーム時に操作レバー２０が上下操作された場合、これに応じて駆動制御ＩＣチップ５４はモータ４０の駆動を制御し、第１〜第３群レンズＧ１〜Ｇ３が操作に応じて光軸方向に移動する。
【００３２】
静止画撮影モードにおいてシャッタボタン１０が押下されると、Ｉ／Ｏ制御回路を介して信号がＣＰＵ７１に入力され、ＣＰＵ７１の命令に応答して信号処理回路６０から出力された画像データがＳＤＲＡＭ６７に蓄積される。ＳＤＲＡＭ６７に蓄積された画像データは画像処理回路６２に入力され、ここでガンマ補正、輪郭補正などの各種画像処理が行なわれ、画像処理が行なわれた画像データはＳＤＲＡＭ３９に一時的に蓄積された後、メディアコントローラ６５を経てメモリーカード７０に記録される。
【００３３】
次に本発明の作用について説明する。フレキシブルプリント基板５０の一端側に画定された第１のエリア５０ａがレンズ鏡筒２８の後端面を覆うように固定筒３０の後端３０ａに固定され、フレキシブルプリント基板５０の他端側に画定された第２のエリア５０ｂがレンズ鏡筒２８の外周と対向するように固定筒３０の後端縁で折り曲げられて第２のエリア５０ｂに設けられた出力端子５１が固定筒３０の外周３０ｂに設けられた接続端子４１に接続される。これによって、フレキシブルプリント基板５０をレンズ鏡筒２８の形状に沿って組み付けてレンズ鏡筒２８とフレキシブルプリント基板５０とをよりコンパクトに一体化することができる。このためレンズユニット２５を備えたデジタルカメラの小型化が期待できる。
【００３４】
なお、上記の実施形態では、フレキシブルプリント基板５０に設けられた駆動制御ＩＣチップ５４からの電気信号によってレンズ鏡筒２８に設けられたモータ４０の動作を制御したが、本発明はこれに限らない。例えば、レンズ鏡筒に設けられたレンズバリアや機械式シャッタ装置の駆動を制御してもよい。図６に示すように、前筒３６の前端にはレンズバリアユニット３８が設けられ、第１群レンズＧ１と第２群レンズＧ２との間にはメカシャッタ装置７５が設けられている。レンズバリア３８ａは図示しない電磁アクチュエータによって、レンズ開口を遮蔽する閉じ位置とレンズ開口を開放する開き位置との間で移動が制御されており、電磁アクチュエータはフレキシブルプリント基板５０上に設けられたアクチュエータコントローラ７７からの電気信号によって駆動が制御されている。メカシャッタ装置７５はステッピングモータ（アクチュエータ）７５ａの動力を利用してシャッタ開口７５ｂを開閉しており、ステッピングモータ７５ａの動作はフレキシブルプリント基板５０上に設けられたモータコントローラ７９によって制御されている。このように、フレキシブルプリント基板上に設けられた各コントローラからの電気信号によってレンズ鏡筒に設けられたアクチュエータの駆動を制御することができる。
【００３５】
また、上記の実施形態では接続端子が固定筒３０の外周３０ｂで光軸方向に延設されていたが、接続端子の形状はこれに限らない。例えば、図７に示すように、接続端子４１を固定筒３０の外周３０ｂから半径方向に向かって突出させる。駆動制御ＩＣチップ５４には接続端子４１にハンダ付けされる出力端子が形成されており、この出力端子が接続端子４１にハンダ付けされる。このような構造にすることで接続端子４１を短くし、さらにフレキシブルプリント基板５０のサイズを小さくすることができ、フレキシブルプリント基板５０をレンズ鏡筒２８によりコンパクトに組み付けてデジタルカメラ２をさらにコンパクトにできる。
【００３６】
また、図８に示すように、固定筒３０の外周３０ｂにフレキシブルプリント基板５０を差し込むための差込溝３０ｃを形成し、この差込溝３０ｃ内に接続端子８１を配置し、この差込溝３０ｃにフレキシブルプリント基板５０の他端側の先端を差し込んでもよい。フレキシブルプリント基板５０の他端側に画定された第２のエリア５０ｂには折り曲げ位置Ｆと略平行なライン状の折り曲げ位置が設定され、これによって第１のエリア５０ａと連なる中間エリア５０ｂと中間エリア５０ｂと連なる端部エリア５０ｃとに区分けされ、この端部エリア５０ｃには出力端子５１が形成されている。中間エリア５０ｂが固定筒３０の外周と対向するように折り曲げられ、端部エリア５０ｃが内側に向けて折り曲げられるとともにその先端が差込溝３０ｃ内に差し込まれる。接続端子８１はその突出方向に付勢力を有しているため、フレキシブルプリント基板５０は差込溝３０ｃの内壁と接続端子８２との間で挟持されるとともに、接続端子８１に出力端子５１が接触し、モータ４０の制御が可能となる。なお、接続端子８１の差込溝３０ｃ内への突出具合によってフレキシブルプリント基板５０が抜けにくくなるようにすることができる。例えば、フレキシブルプリント基板５０の厚さよりも小さな隙間が形成されるように接続端子８１を差込溝３０ｃ内に突出させることでプリント基板５０をしっかりと保持することができ、これによってレンズ鏡筒へのフレキシブルプリント基板の取り付け工程から接続端子８１に出力端子５１をハンダ付する工程を省略することができ、デジタルカメラの製造の簡便化が期待できる。
【００３７】
また、図９に示すように、固定筒３０の平面部３０ｄにハンダ付けするためのランド（接続端子）８３を設け、このランド８３にはレンズ鏡筒２８内のモータ４０が接続されている。フレキシブルプリント基板５０の第２のエリア５０ｂに設けられた出力端子８４をランド８３にハンダ付けすることで駆動制御ＩＣチップ５４からの電気信号をモータ４０に入力させることができる。
【００３８】
また、図１０に示すように、固定筒３０の外周に平面部３０ｄを形成し、この平面部３０ｄに形成された接続端子８５上にハンダ付けするためのハンダボール８６を予め盛っておき、フレキシブルプリント基板５０の第２のエリア５０ｂに形成された出力端子８７にハンダボール８６を介して接続端子８５上に熱溶着させ、接続端子８５に出力端子８７を連結させることができる。これにより接続端子８５に出力端子８７を簡便に接続させることができ、レンズユニットのより容易な製造が期待できる。
【００３９】
また、図１１に示すように、固定筒３０の外周には後端３０ａに向けて折り曲げられた接続端子９０が設けられ、フレキシブルプリント基板９２の一端側にはＣＣＤイメージセンサ５２が設けられ、他端側には駆動制御ＩＣチップ５４が設けられている。イメージセンサの受光面が光軸と垂直になるようにフレキシブルプリント基板９２が固定筒３０の後端３０ａに組み付けられてレンズ鏡筒２８の後端面がフレキシブルプリント基板によって覆われる。固定筒３０から側方から露呈したエリアには駆動制御ＩＣチップ５４が位置し、この駆動制御ＩＣチップ５４には出力端子が形成されている。レンズ鏡筒２８の側面に設けられた接続端子９０に駆動制御ＩＣチップ５４の出力端子がハンダ付けされてレンズ鏡筒２８に電気信号を入力することができるようになり、レンズ鏡筒内に具備されたアクチュエータの駆動が制御される。
【００４０】
また、上記の第１実施形態では撮影装置としてデジタルカメラ２を例示したが、本発明はこれに限らず、例えばカメラ付き携帯電話に実施しても構わない。図１２〜１４を用いて本発明のレンズユニットをカメラ付き形態電話に組み込んだ第２実施形態について説明する。図１２に示すように、カメラ付き携帯電話１００は受話部１００ａと送話部１００ｂとがヒンジ部１００ｃを介して折り畳み自在に連結されており、収納時は受話部１００ａに備えられた液晶パネル（図示省略）が送話部１００ｂに備えられた操作ボタン（図示省略）と対向するように折り畳まれる。受話部１００ａの表面からは撮影レンズ１０２が露呈しており、ユーザは撮影レンズ１０２を被写体に向けて撮影することで被写体の画像データを取得することができる。
【００４１】
図１３にカメラ付き携帯電話１００の内部に設けられたレンズユニットの部分的な斜視図を示す。レンズユニット１０５はレンズ鏡筒１０７及びフレキシブルプリント基板１０９によって構成され、レンズ鏡筒１０７は略四角柱形状に形成されている。レンズ鏡筒１０７の前面１０７ａからは撮影レンズ１０２が露呈し、後端１０７ｂはフレキシブルプリント基板１０９の一端側に固定されている。レンズ鏡筒１０７の側面１０７ｃには平面部１１０が形成され、この平面部１１０には５つの接続端子１１２が側面を一周する方向に配列されている。フレキシブルプリント基板１０９の他端側のエリア１０９ｂにはアクチュエータ駆動用の駆動制御ＩＣチップ１１５が実装され、そのさらに他端側にはレンズ鏡筒１０７の接続端子１１２に対応して５つの出力端子１１７が設けられている。各出力端子１１７は、接続端子１１２の配列方向と略平行かつ各接続端子１１２間の間隔と同じ間隔で配列されている。
【００４２】
図１４に示すように、フレキシブルプリント基板１０９の他端側のエリア１０９ｂがレンズ鏡筒１０７の側面１０７ｃと対向するように折り曲げられ、出力端子１１７が接続端子１１２にハンダ付けされる。これによって駆動制御ＩＣチップ１１５からの制御信号がレンズ鏡筒１０７内のアクチュエータ（図示省略）に入力されてアクチュエータの駆動が制御されるようになる。レンズ鏡筒１０７を四角柱形状とすることでレンズ鏡筒１０７の側面１０７ｃとフレキシブルプリント基板１０９の他端側のエリア１０９ｂとの間のスペースをより小さくすることができ、このようなレンズユニット１０５を内蔵したカメラ付き携帯電話１００をよりコンパクトにすることができる。なお、レンズ鏡筒１０７の接続端子１１２にフレキシブルプリント基板１０９の出力端子１１７を連結する方法はハンダ付けに限らず、熱溶着によって連結してもよい。
【００４３】
なお、上記の第２実施形態では、レンズ鏡筒１０７の側面１０７ｃに形成された平面部１１０に接続端子１１２を配列し、フレキシブルプリント基板１０９を折り曲げて接続端子１１２に出力端子１１７をハンダ付けしたが、接続端子１１２と出力端子１１７の接続構造はこれに限らない。図１５に示すように、レンズ鏡筒１０７の側面には５本のピン状の接続端子１２０が後端１０７ｂに向かって延設されており、これらの接続端子１２０の先端に駆動制御ＩＣ１２２に設けられた５本の出力端子１２２ａをハンダ付けする。このようにして接続端子１２０と出力端子１２２ａとを連結することでフレキシブルプリント基板１２５のサイズを小さくしてレンズユニット１２７のコストを低減することが可能となる。
【図面の簡単な説明】
【００４４】
【図１】デジタルカメラを前側から観察した外観斜視図である。
【図２】デジタルカメラを背面側から観察した外観斜視図である。
【図３】レンズ鏡筒とフレキシブルプリント基板とを有するレンズユニットを概略的に分解した分解斜視図である。
【図４】光軸に沿ってレンズ鏡筒及びフレキシブルプリント基板を縦に切断した断面図である。
【図５】デジタルカメラの電気的な構成を概略的に示したブロック図である。
【図６】レンズバリアユニットとシャッタ装置の駆動がフレキシブルプリント基板からの電気信号によって制御されるレンズユニットを光軸に沿って縦に切断した断面図である。
【図７】駆動制御ＩＣチップ上に設けられた出力端子に固定筒の外周から半径方向に突出した接続端子を直接ハンダ付けしたレンズユニットを光軸に沿って縦に切断した断面図である。
【図８】固定筒の外周に設けられた差込溝にフレキシブルプリント基板の他端側の先端が差し込まれて接続端子に出力端子が接続されるレンズユニットを光軸に沿って縦に切断した断面図である。
【図９】固定筒の外周に形成されたハンダ付け用のランドに出力端子がハンダ付けされるレンズユニットの一部を部分的に示した説明図である。
【図１０】固定筒の外周に形成された接続端子にフレキシブルプリント基板を熱圧着されるレンズユニットの一部を部分的に示した説明図である。
【図１１】固定筒の後端まで延設された接続端子に、固定筒の側方から露呈した駆動制御ＩＣチップ上に形成された出力端子を接続させたレンズユニットを光軸に沿って縦に切断した断面図である。
【図１２】本発明のレンズユニットを搭載したカメラ付き携帯電話を観察した斜視図である。
【図１３】フレキシブルプリント基板がレンズ鏡筒の後端に取り付けられたレンズユニットの部分的な斜視図である。
【図１４】レンズ鏡筒の側面に設けられた接続端子にフレキシブルプリント基板に設けられた出力端子を連結させた斜視図である。
【図１５】レンズ鏡筒の後端側に折り曲げられた接続端子をフレキシブルプリント基板上に設けられた駆動制御ＩＣの出力端子に連結させたレンズユニットの部分的な斜視図である。
【符号の説明】
【００４５】
２  デジタルカメラ（撮影装置）
２５  レンズユニット
２８  レンズ鏡筒
３０  固定筒
３２  後筒
３４  中間筒
３６  前筒
３８  レンズバリアユニット
４０  モータ（アクチュエータ）
４１  接続端子
５０  フレキシブルプリント基板
５０ａ  第１のエリア
５０ｂ  第２のエリア
５１  出力端子
５２  ＣＣＤイメージセンサ
５４  駆動制御ＩＣチップ
【図１】
2006146021.tif 000003
【図２】
2006146021.tif 000004
【図３】
2006146021.tif 000005
【図４】
2006146021.tif 000006
【図５】
2006146021.tif 000007
【図６】
2006146021.tif 000008
【図７】
2006146021.tif 000009
【図８】
2006146021.tif 000010
【図９】
2006146021.tif 000011
【図１０】
2006146021.tif 000012
【図１１】
2006146021.tif 000013
【図１２】
2006146021.tif 000014
【図１３】
2006146021.tif 000015
【図１４】
2006146021.tif 000016
【図１５】
2006146021.tif 000017